(57)【特許請求の範囲】
【請求項１】
振動に弱い要素が内部に取付けられるテレビジョンキャビネット内において、少なくとも１つのスピーカからの上記テレビジョンキャビネット内の音振動を最小にする装置であって、
上記少なくとも１つのスピーカを支持するスピーカセクション及び複数の取付け継手を有するエンクロージャポッドと、
上記複数の取付け継手のそれぞれにおいて、上記エンクロージャポッドを上記テレビジョンキャビネットに取付けるための第１の振動減少手段および第２の振動減少手段とを含み、
上記エンクロージャポッドは、上記複数の取付け継手によってのみ上記テレビジョンキャビネットに接触し、
上記エンクロージャポッドに取付けられ、上記スピーカセクションを取り囲む減衰部材と、
上記テレビジョンキャビネットに取付けられるよう複数の取付けポストを有するマスクであって、上記少なくとも１つのスピーカから放出される音エネルギーを上記テレビジョンキャビネットから引き離す空気チャネルを形成するよう上記減衰部材と接触するマスクと、
上記複数の取付けポストにおいて、上記マスクを上記テレビジョンキャビネットに取付ける第３の振動減少手段とを更に含む、ことを特徴とする装置。
【請求項２】
上記第１の振動減少手段および上記第２の振動減少手段は、
上記複数の取付け継手のそれぞれと上記エンクロージャポッドとの間に配置される第２のゴム製隔離リングと、
上記複数の取付け継手のそれぞれと上記テレビジョンキャビネットとの間に配置される第１のゴム製隔離リングとを含む請求項１に記載の装置。
【請求項３】
上記減衰部材は、ゴム製バルブチャネルガスケットを含む請求項１に記載の装置。
【請求項４】
上記第３の振動減少手段は、上記複数の取付けポストのそれぞれと上記テレビジョンキャビネットとの間に配置されるゴム製グロメットを含む請求項１に記載の装置。
【請求項５】
上記振動に弱い要素は、光学要素を含む請求項１に記載の装置。
【発明の詳細な説明】
【０００１】
【発明の属する技術分野】
本発明は、一般的にスピーカをテレビジョンキャビネット内に取付ける装置に係り、より詳細には、少なくとも１つのスピーカからテレビジョンキャビネット構造内に伝達される音振動を減少する装置に関する。
【０００２】
【従来の技術】
一般的に、従来の投写型テレビジョンは、重い木製キャビネット内に収納され、高性能スピーカが付随される。このような重い木製キャビネットは通常、高性能スピーカを収容するために内部に形成される隔離エンクロージャを有する。一般的な投写型テレビジョンの光学パッケージの重い重量及び木製キャビネットによって、スピーカに関連するほとんどの振動問題が阻止される。
【０００３】
しかし、今日において、市場では、小さいテレビジョンキャビネットのサイズが要求されており、その一方で同時に大きいスクリーンサイズが所望される。技術における改善によって、軽量の光学パッケージが可能となり、その結果、大きいテレビジョンスクリーンの製造が可能となった。小さいテレビジョンキャビネットの需要を満たすために、これらの改善された投写型テレビジョンパッケージは、「直視型」テレビジョンキャビネットとして知られるコンパクトで、様式化されたテレビジョンキャビネット内に取付けられる。一般的に、このような直視型キャビネットは、射出成形されたプラスチックの部品を使用して構成され、重い木製キャビネットより軽量で、且つ、美観的にも感じが良い。
【０００４】
【発明が解決しようとする課題】
重い木製キャビネットから軽いプラスチックキャビネットへの移行による望ましくない結果は、スピーカによって発生される振動のテレビジョンキャビネットへの伝達である。このような振動は、投写型テレビジョンの光学要素に有害な影響を与え、その結果、望ましくない視聴状態がもたらされる。
【０００５】
従って、この分野において、スピーカをテレビジョンキャビネット内に取付けるための、振動を減少するスピーカ取付け装置が必要である。
【０００６】
【課題を解決するための手段】
従来技術に関連付けられる不利点は、内部に光学要素が取付けられるテレビジョンキャビネット内の少なくとも１つのスピーカによって発生される音振動を減少する装置によって解決される。
【０００７】
具体的には、本発明の実施例である装置は、その内部に少なくとも１つのスピーカを取付けるためのエンクロージャポッドを含み、エンクロージャポッドは、ポッドをテレビジョンキャビネットに取付けるための複数の取付け継手を有する。エンクロージャポッドは、テレビジョンキャビネットとの間に実質的な空隙を残し、複数の取付け継手においてのみテレビジョンキャビネットと接触する。更に、エンクロージャポッドは、振動を減衰するゴム製隔離リングによってのみテレビジョンキャビネットと接触する。従って、エンクロージャポッドとテレビジョンキャビネットとの間には直接的な接触はなく、それによりスピーカによって発生される振動がテレビジョンキャビネット内に直接的に伝達されることが減少する。
【０００８】
本発明の主旨は、添付図面と共に以下の詳細な説明を考慮することによって直ぐに理解し得る。
【０００９】
理解を容易にするために、図面において共通する同一の要素を示す際に、可能である場合には、同一の符号を使用している。
【００１０】
【発明の実施の形態】
図１は、スピーカによって発生される振動のテレビジョンキャビネット内への伝達を減少するスピーカ取付け装置１００の断面図である。本発明の好適な実施例は、コンパクトで様式化されたテレビジョンキャビネット（以下に「直視型」テレビジョンキャビネットと称する）に関し説明するが、本発明は、一般的なテレビジョンキャビネットに使用することが可能であることを理解するものとする。更に、本発明は、以下に制限されないが、各オーディオチャネルについて１つの中音域スピーカ及び１つの高温拡声器を含む幾つかのスピーカ構成を収容することが可能である。
【００１１】
装置１００はテレビジョンキャビネット１０２内に使用され、スピーカ１０８によって発生される振動のテレビジョンキャビネット１０２内への伝達を減少する。本発明の１つの実施例では、テレビジョンキャビネット１０２は、投写型テレビジョンを収容する直視フォームファクタキャビネットを含む。テレビジョンキャビネット１０２は、投写型テレビジョンの光学的、電気的、及び／又は機械的要素のような振動に弱い要素（図示せず）に有害な影響を与える振動を伝達する傾向のある射出成形されたプラスチック部品を使用し構成される。このような振動に弱い要素は、以下に制限されないが、鏡、光源等を含み、これらは振動すると、テレビジョン画像が揺れるか又は瞬間的に焦点がずれることをもたらす。
【００１２】
図１に示されるように、本発明の装置１００は、スピーカセクション１１０と、スピーカセクション１１０を取り囲むフランジ１２０と、複数の取付け継手１０６（２つが示される）とを有するエンクロージャポッド１０４を含む。スピーカ１０８は、エンクロージャポッド１０４のスピーカセクション１１０に取付けられる。エンクロージャポッド１０４は、スピーカ１０８の背部において発生された音エネルギーがテレビジョンキャビネット１０２内に伝播することを阻止する。エンクロージャポッド１０４は、複数の取付け継手１０６の各継手においてのみキャビネット１０２と接触し、その間に実質的な空隙１２２が残されるようテレビジョンキャビネット１０２に取付けられる。空隙１２２は、エンクロージャポッド１０４とテレビジョンキャビネット１０２との間の流動的な構造の相互作用（fluid-structure interaction）を減少し、それにより、振動の直接的な伝達が減少する。
【００１３】
テレビジョンキャビネット１０２は、エンクロージャポッド１０４の前面においてテレビジョンキャビネット１０２に取付けられるスピーカマスク１１２を含む。エンクロージャポッド１０４のフランジ１２０に減衰部材１１４が取付けられ、減衰部材１１４はスピーカマスク１１２とエンクロージャポッド１０４との間に配置される。スピーカマスク１１２は、減衰部材に対し押され、マスク１１２内にもたらされる振動を減衰し、音エネルギーをテレビジョンキャビネット１０２から外側に離れるようにするための空気チャネル１２４が形成される。減衰部材１１４は、スピーカからスピーカマスク１１２に伝達される振動を減衰するのに好適であるゴム製バルブチャネルガスケット又は類似の種類の弾性装置を含む。
【００１４】
スピーカマスク１１２は、振動を伝達する傾向のある射出成形されたプラスチック部品を使用し構成される。マスク１１２は、マスク１１２をテレビジョンキャビネット１０２に取付けるための複数の取付けポスト１１６（１つを示す）を含む。複数の取付けポスト１１６はそれぞれ、各ポスト１１６とテレビジョンキャビネット１０２との間に配置されるゴム製グロメット１１８又は類似の弾性装置内に圧入される。従って、ゴム製グロメット１１８によって、スピーカマスク１１２内にもたらされる振動が、テレビジョンキャビネット１０２内に伝達されることが阻止される。
【００１５】
図２は、複数の取付け継手１０６のうちの１つを詳細に示す図である。第１のゴム製の隔離リング２０６が、エンクロージャポッド１０４とテレビジョンキャビネット１０２との間に配置され、その間でプラスチックが硬く接触することを阻止する。エンクロージャポッド１０４は、取付けネジ２０２又は類似の種類の固定装置によってテレビジョンキャビネットに取付けられる。第２のゴム製隔離リング２０４は、取付けネジ２０２の頭部とエンクロージャポッド１０４との間に配置される。エンクロージャポッド１０４は、各取付け継手１０６においてのみ、且つ、第１のゴム製隔離リング１０６及び第２のゴム製隔離リング２０４によってのみテレビジョンキャビネット１０２と接触する。従って、エンクロージャポッド１０４からテレビジョンキャビネット１０２への直接的な振動の伝達は減少する。当業者は、任意の弾性装置を含む、第１のゴム製隔離リング２０６及び第２のゴム製隔離リング２０４のいずれか又は両方に取って代わる代替案を直ぐに思いつくことが可能である。
【００１６】
図３は、テレビジョンキャビネット１０２に取付けられる本発明のスピーカ取付け装置１００の前面からの斜視図である。エンクロージャポッド１０４は、テレビジョンキャビネット１０２のスピーカエンクロージャセクション３０２に取付けられる。図４は、スピーカマスク１１２を有するテレビジョンキャビネット１０２に取付けられる本発明の装置１００を示す。
【００１７】
本発明の主旨が組込まれる様々な実施例が本願において示され説明されたが、当業者は、本発明の主旨が依然として組込まれる他の様々な実施例を多数思いつくことが可能である。
【図面の簡単な説明】
【図１】スピーカ取付け装置を示す断面図である。
【図２】振動減衰取付け継手を詳細に示す図である。
【図３】テレビジョンキャビネット内に取付けられた図１の装置を示す前面からの斜視図である。
【図４】スピーカマスクを有するテレビジョンキャビネット内に取付けられた図１の装置を示す図である。
【図１】
0004988103.tif 000002
【図２】
0004988103.tif 000003
【図３】
0004988103.tif 000004
【図４】
0004988103.tif 000005